【手続補正書】
【提出日】令和1年11月19日(2019.11.19)
【手続補正１】
【補正対象書類名】特許請求の範囲
【補正対象項目名】全文
【補正方法】変更
【補正の内容】
【特許請求の範囲】
【請求項１】
液体を収容する液体収容容器と、
液体を循環経路に循環させる循環機構と、
前記液体収容容器と流体接続され、複数の吐出口を有する液体吐出ヘッドと、
を備える液体吐出装置であって、
前記液体吐出ヘッドは、少なくとも一対の共通流路と、前記一対の共通流路のうち一方の共通流路と他方の共通流路とを接続し、前記複数の吐出口と各々連通する複数の個別流路と、を有し、
前記一対の共通流路における各々の上流側又は下流側には、互いに異なる制御圧に設定される少なくとも一対の圧力調整機構が接続されることを特徴とする液体吐出装置。
【請求項２】
前記一対の共通流路の夫々における、前記圧力調整機構が接続された一端側とは反対側の端部側に、前記循環機構が接続されることを特徴とする請求項１に記載の液体吐出装置。
【請求項３】
前記循環機構は、少なくとも一つの循環ポンプを備えることを特徴とする請求項１または２に記載の液体吐出装置。
【請求項４】
前記循環機構は少なくとも一対の循環ポンプを含み、当該一対の循環ポンプは、前記一対の共通流路の夫々における前記反対側の端部側に接続されていることを特徴とする請求項２に記載の液体吐出装置。
【請求項５】
液体の流量を測定する流量センサーまたは液体の温度を測定する温度センサーを備え、
前記循環機構は、前記流量センサーまたは温度センサーからの情報に基づいて、流量の制御を行う循環ポンプを含むことを特徴とする請求項１から４のいずれか１項に記載の液体吐出装置。
【請求項６】
前記圧力調整機構は、少なくとも１つの定流量弁機構を備えることを特徴とする請求項１から５のいずれか１項に記載の液体吐出装置。
【請求項７】
前記定流量弁機構は、液体を保持する第１圧力室と、第１圧力室の下流側に設けられる第２圧力室と、第１圧力室の上流側に設けられる絞り部と、前記絞り部の上流側に設けられる第３圧力室と、前記第１圧力室と前記第２圧力室との連通部に設けられるオリフィスと、
前記第１圧力室内に設けられ、前記第１圧力室と前記第２圧力室と間の流抵抗を可変するバルブと、前記オリフィスと前記バルブとの間のギャップを開放する方向へ前記バルブを付勢する付勢部材と、前記第１圧力室と第３圧力室内の記録液体圧力差の増減に応じて変位する受圧板と、前記受圧板と接合され、前記第１圧力室を流体的にシールする可撓性部材と、を含み、
前記受圧板は前記変位を前記バルブに伝達し、前記バルブは前記変位に基づいて前記オリフィスと前記バルブとの間の前記ギャップを調整し、前記第１圧力室と前記第２圧力室との間の前記流抵抗を可変することを特徴とする請求項６に記載の液体吐出装置。
【請求項８】
前記一対の圧力調整機構は、前記一対の圧力調整機構の下流側に接続される前記一対の共通流路の圧力を、前記異なる制御圧に各々調整する一対の減圧型圧力調整弁機構であることを特徴とする請求項１または２に記載の液体吐出装置。
【請求項９】
前記減圧型圧力調整弁機構は、
前記液体吐出ヘッドが接続される下流側に設けられる第１圧力室と、
前記第１圧力室の下流側に設けられる第２圧力室と、前記第１圧力室と前記第２圧力室との連通部に設けられるオリフィスと、前記第２圧力室内に設けられ、前記第１圧力室と前記第２圧力室と間の流抵抗を可変するバルブと、前記オリフィスと前記バルブとの間のギャップを閉塞する方向へ前記バルブを付勢する付勢部材と、前記第２圧力室内の液体の増減に応じて変位する受圧板と、前記受圧板と接合され、前記第２圧力室を流体的にシールする可撓性部材と、を含み、
前記受圧板は前記変位を前記バルブに伝達し、前記バルブは前記変位に基づいて前記オリフィスと前記バルブとの間の前記ギャップを調整し、前記第１圧力室と前記第２圧力室との間の前記流抵抗を可変することを特徴とする請求項８に記載の液体吐出装置。
【請求項１０】
前記一対の圧力調整機構は、前記一対の圧力調整機構の上流側に接続される前記一対の共通流路の圧力を、前記異なる制御圧に各々調整する一対の背圧型圧力調整弁機構であることを特徴とする請求項１または２に記載の液体吐出装置。
【請求項１１】
前記背圧型圧力調整弁機構は、
前記液体吐出ヘッドが接続される上流側に設けられる第１圧力室と、
前記第１圧力室の下流側に設けられる第２圧力室と、前記第１圧力室と前記第２圧力室との境界に設けられるオリフィスと、前記第１圧力室内に設けられ、前記第１圧力室と前記第２圧力室と間の流抵抗を可変するバルブと、前記オリフィスと前記バルブとの間のギャップを開放する方向へ前記バルブを付勢する付勢部材と、前記第１圧力室内の液体の増減に応じて変位する受圧板と、前記受圧板と接合され、前記第１圧力室を流体的にシールする可撓性部材と、を含み、
前記受圧板は前記変位を前記バルブに伝達し、前記バルブは前記変位に基づいて前記オリフィスと前記バルブとの間の前記ギャップを調整し、前記第１圧力室と前記第２圧力室との間の前記流抵抗を可変することを特徴とする請求項１０に記載の液体吐出装置。
【請求項１２】
前記一対の共通流路のうち、前記一方の共通流路は正圧に制御され、前記他方の共通流路は負圧に制御されることを特徴とする請求項１から１１のいずれか１項に記載の液体吐出装置。
【請求項１３】
前記一対の圧力調整機構のうち、一方の圧力調整機構の設定圧が、当該圧力調整機構に接続された前記共通流路の内圧が正圧になるように、かつ、他方の圧力調整機構の設定圧が、当該圧力調整機構に接続された前記共通流路の内圧が負圧になるように設定されていることを特徴とする、請求項１から１２のいずれか１項に記載の液体吐出装置。
【請求項１４】
前記液体吐出ヘッドは、さらに、
吐出口と、液体を吐出するためのエネルギを発生する記録素子と、前記記録素子を内部に備える圧力室と、を備える複数の記録素子基板と、
前記複数の記録素子基板と連通する前記一対の共通流路と、
を有する請求項１に記載の液体吐出装置。
【請求項１５】
前記一対の共通流路は、前記複数の記録素子基板に前記液体を供給する共通供給流路と、前記複数の記録素子基板から前記液体を回収する共通回収流路とを備える請求項１４に記載の液体吐出装置。
【請求項１６】
前記複数の個別流路は、前記共通供給流路から前記複数の記録素子基板に前記液体を供給するための個別供給流路と、前記複数の記録素子基板から前記共通回収流路に前記液体を回収するための個別回収流路とを備える請求項１５に記載の液体吐出装置。
【請求項１７】
液体を収容する液体収容容器と、液体を循環経路に循環させる循環機構と、を備える液体吐出装置に用いられる液体吐出ヘッドであって、
吐出口と、液体を吐出するためのエネルギを発生する記録素子と、前記記録素子を内部に備える圧力室と、を備える複数の記録素子基板と、
前記複数の記録素子基板と連通する一対の共通流路と、
前記一対の共通流路のうち一方の共通流路と他方の共通流路とを接続し、複数の前記圧力室と各々連通する複数の個別流路と、
前記一対の共通流路における各々の上流側又は下流側に接続される、互いに異なる圧力に設定される一対の圧力調整機構と、
を有することを特徴とする液体吐出ヘッド。
【請求項１８】
前記一対の流路部材を備える流路部材を備え、
前記複数の記録素子基板は前記流路部材に直線状に配列されている請求項１７に記載の液体吐出ヘッド。
【請求項１９】
前記圧力室内の液体は当該圧力室の外部との間で循環される請求項１７または１８に記載の液体吐出ヘッド。
【請求項２０】
前記一対の共通流路は、前記複数の記録素子基板に前記液体を供給する共通供給流路と、前記複数の記録素子基板から前記液体を回収する共通回収流路とを備え、
前記複数の個別流路は、前記共通供給流路から前記複数の記録素子基板に前記液体を供給するための個別供給流路と、前記複数の記録素子基板から前記共通回収流路に前記液体を回収するための個別回収流路とを備える請求項１７に記載の液体吐出ヘッド。